(57)【特許請求の範囲】
【請求項１】
上止１は樹脂製で一対のファスナーテープ２のそれぞれの縁部４に沿って設けた噛合エレメント１２列の端部に噛合エレメント１２と間隔をおいて成形し、ファスナーテープ２は表裏両面に熱可塑性エラストマーによって被覆した被覆層１１を形成し、上止１はスライダー２０の案内柱２４を逃避する凹形部６に形成するとともに、左右のファスナーテープ２に分離して成形し、一方の下端に相手方の噛合エレメント１２の噛合頭部１３が重合できる重合部３をファスナーテープ２上の表裏両面に形成し、重合部３は上止１の他の部分より薄く形成してなることを特徴とするスライドファスナー用上止。
【請求項２】
重合部３は、単体の噛合エレメント１２における首部１４に形成した係合突部１６の面と同一面に形成してなる請求項１記載のスライドファスナー用上止。
【請求項３】
重合部３は、単体の噛合エレメント１２における噛合頭部１３の噛合面１７と同一面に形成してなる請求項１記載のスライドファスナー用上止。
【請求項４】
重合部３に隣接してスライダー２０における自動停止機構２６の停止爪２７先端を収容する凹部７を形成してなる請求項１記載のスライドファスナー用上止。
【請求項５】
上止１はファスナーテープ２の縁部４に切欠部５を設け、該切欠部５を被覆する形で樹脂を成形してなる請求項１記載のスライドファスナー用上止。
【請求項６】
上止１はファスナーテープ２の縁部４に切欠部５を設け、上止１はスライダー２０の案内柱２４を囲む凹形部６に形成してなる請求項１記載のスライドファスナー用上止。
【発明の詳細な説明】
【技術分野】
【０００１】
この発明は、樹脂製の単体から形成された噛合エレメントを備えたファスナーチエンにおける上止に関するものである。
【背景技術】
【０００２】
従来、ファスナーテープと噛合エレメントの表裏両面にゴムなどのエラストマーによる被覆層を設けるとともに、ファスナーテープの縁部で各噛合エレメント間に被覆層と同質のヒレを設け、かつ左右のファスナーストリンガーの噛合エレメント列の端部に停止ブロックによって一体に連結したファスナーストリンガーにおいて、噛合エレメントと停止ブロックとを連結した構成は、シール体を介在して連結し、シール体の前端を停止ブロックに一体に連接し、シール体の間にスライダーの案内柱が嵌合できる窓孔を設け、シール体と第１番目の噛合エレメントとを連設して一方のシール体に噛合相手の噛合エレメントにおける噛合頭部が嵌って密接できる切欠部を設け、さらにファスナーストリンガーにおける屈曲部分に切り欠き溝を設けて密接する水密性を保持できるスライドファスナーが図６に示すように知られている。
【特許文献１】実公昭６３−１３６８９号公報
【発明の開示】
【発明が解決しようとする課題】
【０００３】
前述の図６に示されたスライドファスナーは、ファスナーテープの表面にエラストマーの被覆層を設けていることによって、ファスナーテープ自体に硬直性を与え取り扱い難いことである。またシール体の前端が停止ブロックに一体に連結しているため、ファスナーチエンの先端を開口させることができないので不便である。さらに停止ブロックとシール体、およびシール体と第１噛合エレメントとが接続する部分に柔軟性を持たせるため切り欠き溝を設けなくてはならないので加工がきわめて面倒であるなど問題点がある。
【０００４】
この発明は、上述の問題点を考慮して改良したものであり、この発明のうち請求項１記載の発明は、ファスナーチエンの先端が開口できる製品であり、しかもスライダーの案内柱によってファスナーテープに皺が発生するのを未然に防ぎ、かつ噛合エレメントと上止とが簡易に重合し、左右のファスナーストリンガーが整然と揃い取り扱いが容易にでき、単体の上止を防水性または止水性を備えたファスナーテープ上に射出成形し、上止と噛合エレメントとを重合する部分をファスナーテープ上の表裏両面に形成し、重合する部分は、他の上止部分より薄く形成したスライドファスナー用上止を提供することが主たる目的である。
【０００５】
請求項２および３記載の発明は、それぞれ請求項１記載の発明の目的に加え、上止と噛合エレメントとの重合する部分を上止における表裏両面、または上止における噛合エレメントに設けた係合突部と同一面、あるいは上止における噛合エレメントに設けた噛合面と同一面に、それぞれ形成した的確に重合できるスライドファスナー用上止を提供することが目的である。
【０００６】
請求項４記載の発明は、請求項１記載の発明の目的に加え、自動停止機構を備えたスライダーをファスナーチエンに停止させるため、ファスナーチエンに設置した重合部に隣接した部分に停止部分を設け、的確に停止させることができるスライドファスナー用上止を提供することが目的である。
【０００７】
請求項５記載の発明は、請求項１記載の発明の目的に加え、ファスナーテープ上において、スライダーの案内柱によって皺が発生しないように、ファスナーテープの縁部に切り欠き部分を設け、この切欠部に上止を成形して体裁のよいファスナーテープが得られるスライドファスナー用上止を提供することが目的である。
【０００８】
請求項６記載の発明は、請求項１記載の発明の目的に加え、ファスナーチエンにおける上止より前端に位置するファスナーテープが密閉される状態に形成されるように、上止がスライダーの案内柱を囲むように形成して、体裁がよくある程度水密、気密が保たれるスライドファスナーが得られるスライドファスナー用上止を提供することが目的である。
【課題を解決するための手段】
【０００９】
前記の目的を達成するため、この発明のうち請求項１記載の発明は、スライドファスナーにおける上止１は、熱可塑性樹脂を用いて成形し、一対のファスナーテープ２のそれぞれの縁部４に沿って設けた噛合エレメント１２列の端部に噛合エレメント１２とは間隔をおいて取り付け成形し、ファスナーテープ２は表裏両面が熱可塑性エラストマーによって被覆された被覆層１１を形成して防水性または止水性を備えさせ、上止１はスライダー２０の案内柱２４を逃避するように凹形部６に形成し、左右のファスナーテープ２はそれぞれ分離できるように上止１を成形し、一方の下端には相手方の噛合エレメント１２の噛合頭部１３が重合できる重合部３をファスナーテープ２上の表裏両面に形成し、この重合部３は上止１の他の部分より薄く形成したスライドファスナー用上止を主な構成とするものである。
【００１０】
請求項２記載の発明は、請求項１記載の発明の構成に加え、上止１に設置する重合部３は、単体状の噛合エレメント１２における首部１４に形成した係合突部１６の面と同一面に形成し、噛合エレメント１２の表裏両面において重合できるように形成したスライドファスナー用上止である。
【００１１】
請求項３記載の発明は、請求項１記載の発明の構成に加え、上止１に設置する重合部３は、単体状の噛合エレメント１２における噛合頭部１３に形成した噛合面１７と同一面に形成し、噛合エレメント１２の表裏のいずれか片面において重合できるように形成したスライドファスナー用上止である。
【００１２】
請求項４記載の発明は、請求項１記載の発明の構成に加え、上止１に設置するスライダー２０の自動停止機構２６における停止爪２７を作動させて入り込ませ、規制するための凹部７を上止１に形成した重合部３に隣接する部分に設置したスライドファスナー用上止である。
【００１３】
請求項５記載の発明は、請求項１記載の発明の構成に加え、ファスナーテープ２に設置する上止１は、ファスナーテープ２の縁部４を切り欠いた切欠部５を設け、この切欠部５を樹脂を用いて被覆する形状に成形したスライドファスナー用上止である。
【００１４】
請求項６記載の発明は、請求項１記載の発明の構成に加え、ファスナーテープ２に設置する上止１は、切欠部５を成形すると同時にスライダー２０の案内柱２４を囲む凹形部６に形成したスライドファスナー用上止である。
【発明の効果】
【００１５】
この出願の発明の効果として、請求項１記載の発明は、上止は樹脂製で一対のファスナーテープのそれぞれの縁部に沿って設けた噛合エレメント列の端部に噛合エレメントと間隔をおいて成形し、ファスナーテープは表裏両面に熱可塑性エラストマーによって被覆した被覆層を形成し、上止はスライダーの案内柱を逃避する凹形部に形成するとともに、左右のファスナーテープに分離して成形し、一方の下端に相手方の噛合エレメントの噛合頭部が重合できる重合部をファスナーテープ上の表裏両面に形成し、重合部は上止の他の部分より薄く形成したことによって、下記の効果を奏する。
【００１６】
この発明は、ファスナーチエンに形成する上止は一対のファスナーテープのそれぞれの縁部に沿って設けた噛合エレメント列の端部と間隔をおいて別体の長片状に成形したので、ファスナーチエンの取り扱いがきわめて容易で柔軟性を損なうことがない。またファスナーテープは防水性または止水性を備えているから防水ファスナーとして利用でき、さらにスライダーの案内柱が逃避する凹形部に形成したことにより、ファスナーテープに皺が生ずることが皆無で体裁がよく、そのうえ一方の上止の下端を噛合エレメント側へ延出した部分に噛合エレメントとの重合する重合部を上止の両面に形成されているので、均衡のとれた体裁のよい重合部が完成でき、噛合エレメントは噛合頭部を突出させた重合部と重合させたので噛合頭部が衝突せずに重合が効果的に行うことができ、重合部は上止の他の部分より薄く形成したことによって、重合部を設けた上止と端部の噛合エレメントとの間隔を狭く形成し、的確に重合することができる効果がある。
【００１７】
請求項２記載の発明は、請求項１記載の発明の効果に加え、重合部は、単体の噛合エレメントにおける首部に形成した係合突部の表裏両面と同一面に形成したので、重合が動作が円滑に行え、特に噛合頭部先端に係合突部に嵌合する嵌合溝を備えた表裏面が同一形状の噛合エレメントに適した重合部を備えたスライドファスナーの上止を達成できる効果がある。
【００１８】
請求項３記載の発明は、請求項１記載の発明の効果に加え、重合部は、単体の噛合エレメントにおける噛合頭部の噛合面と同一面に形成したことによって、重合部が噛合エレメントにおける噛合頭部の噛合面と同一面に形成したので、重合動作が円滑に行え、特に噛合エレメントが表裏で異なる場合、たとえば一面の前半部の形状が円頭形すなわちひょうたん形、他面の前半部が長三角状を呈する噛合エレメントに適した重合部を備えたスライドファスナーの上止を達成できる効果がある。
【００１９】
請求項４記載の発明は、請求項１記載の発明の効果に加え、重合部に隣接してスライダーにおける自動停止機構の停止爪先端を規制する凹部を形成したことによって、自動停止機構を備えたスライドファスナーに重合部を採り入れしたもので、停止機能を的確に働かせることができる効果がある。
【００２０】
請求項５記載の発明は、請求項１記載の発明の効果に加え、上止はファスナーテープの縁部に切欠部を設け、該切欠部を被覆する形で樹脂を成形したことによって、ファスナーチエンに装備したスライダーによる皺、および引きつれ現象を惹起することがない効果がある。
【００２１】
請求項６記載の発明は、請求項１記載の発明の効果に加え、上止は切欠部を成形し、スライダーの案内柱を囲む凹形部に形成したことによって、ファスナーチエンの終端における縁部が上止によって封鎖され、体裁のよいスライドファスナーに仕上げることができる効果があるなど、この発明が奏する効果はきわめて顕著である。
【発明を実施するための最良の形態】
【００２２】
この発明におけるスライドファスナー用上止は、ファスナーテープ２の表裏両面に合成ゴムあるいは熱可塑性エラストマーを被覆することによって被覆層１１を形成し、このファスナーテープ２の一側縁の縁部４に熱可塑性樹脂を用いて単体の噛合エレメント１２を成形してファスナーチェンを形成し、このファスナーチェンに取り付けられた噛合エレメント１２を除却してスペース部を設け、このスペース部におけるファスナーテープ２の縁部４を上止１に相当する部分を切り欠いて切欠部５を形成し、この切欠部５に熱可塑性樹脂を用いて上止１を射出成形する。
【００２３】
上止１は、図２に示すように、ファスナーテープ２のスペース部に設けた切欠部５に沿って、噛合エレメント１２と同種の熱可塑性樹脂を用いて、噛合エレメント１２に連接する形で上止１を射出成形する。この上止１は長片状を呈し、先端部分が鍵形に屈曲して中間にスライダー２０の案内柱２４を収容できる収容部１０を設け、先端部分は左右に分離してスライダー２０の案内柱２４を囲む形に形成する。上止１の一方は下端が噛合エレメント１２側へ延出され、この延出された部分の表裏両面に、噛合相手の噛合エレメント１２における噛合頭部１３の噛合面１７、すなわち首部１４に形成した係合突部１６と係合する噛合面１７が重合できる重合部３を形成する。
【００２４】
この重合部３は上止１の下端に形成された斜面部９の側縁側に設けたものであり、相手側のファスナーテープ２の縁部４に取り付けた噛合エレメント１２における首部１４に形成された略ファスナーテープ２の厚さに相当し、ファスナーチェンの前後方向へ突出する係合突部１６の表面と略同一面に形成した平坦な重合面であり、単体の噛合エレメント１２の首部１４に設けた係合突部１６と同等の働きをする。この重合部３の内方すなわち上止１の先端側にスライダー２０の自動停止機構２６における停止爪２７の先端を収容して、スライダー２０の摺動を停止させる凹部７を形成する。また上止１の外周には適宜間隔でファスナーテープ２上へ突出するヒレ部１８を形成し、上止１を強固にファスナーテープ２に固定する。
【実施例１】
【００２５】
この発明のスライドファスナー用上止について説明すると、図１〜５に示す実施例１のスライドファスナー用上止は、ファスナーチエンにおけるファスナーテープ２の表裏両面を合成ゴムあるいは熱可塑性エラストマーによって被覆して被覆層１１を形成し、ファスナーテープ２に防水性あるいは止水性を備えさせ、ファスナーテープ２における一側縁の縁部４に上止１を形成するため、上止１を略同等の大きさの切欠部５をファスナーテープ２に形成し、この切欠部５を利用してポリアミド、ポリアセタール、ポリプロピレン、ポリブチレンテレフタレートなどの熱可塑性樹脂を用いて上止１を射出成形する。上止１は全体が鍵形を呈し、左右の先端は分離して内側へ屈曲し、中間に凹形部６を形成し、凹形部６はファスナーテープ２の縁部４に形成した切欠部５に沿って、ファスナーテープ２を内方へ凹む形に切欠し、ファスナーチエンが閉じられて左右の上止１が向かいあったとき、凹形部６によって、スライダー２０の案内柱２４が収容できる収容部１０を形成する。また凹形部６は案内柱２４を避ける形に形成されるが、これはファスナーチエンを閉じたときに、上止１側のファスナーテープ２の端部が互いにほぼ平行な状態となる形に形成する。切欠部５は、図２，図３に示すように、ファスナーテープ２の縁部４が凹形部６よりも内側に位置している。
【００２６】
この上止１の一方の下端は噛合エレメント１２側へ延出され、この延出された斜面部９の一部すなわち上止１の縁部４側の斜面部９に噛合相手側の噛合エレメント１２における先端に設けた係合突部１６の厚さと同一の重合部３を形成する。この重合部３は図４に示すように、ファスナーテープ２の側縁における縁部４を噛合エレメントの取付部分よりも側方へ突出させて、一定の防水性、止水性が得られる。また上止１もスライダー２０のフランジ２５によって上止１を引き寄せ、案内柱２４を包囲するから、従来の八の字状の上止に比較して防水性あるいは止水性が備えられている。
【００２７】
重合部３は上止１の表裏両面に形成した斜面部９の縁部４において、斜面部９の表面が平坦状になるように設け、噛合エレメント１２における上下の噛合面１７が重合して係合できるように形成する。重合部３の大きさは噛合エレメント１２の噛合面１７が係合できる大きさであればよい。また上止１の外周には適宣間隔をもってヒレ部１８を側方へ突出するように設け、このヒレ部１８がスライダー２０における上下のフランジ２５が当接し、自由にスライダー２０を摺動させることができる。
【００２８】
上止１は表面における重合部３に隣接してスライダー２０に設けた自動停止機構２６の停止爪２７の先端を収容できる凹部７を上止１の一方における表面側に設けている。スライダー２０の形態によっては凹部７を上止１の表裏両面に設置することもある。この自動停止機構２６を備えたスライダー２０は、一例としては図５に示すように胴体２１の一部に屈曲状の停止爪２７を板状のスプリング２９に当接した状態で内装し、停止爪２７の先端を胴体２１内のガイド溝３０に常時突出するように形成し、停止爪２７の中間に引手３２の枢軸３３を軸支して必要時に停止爪２７を引き上げるように形成する。なおスプリング２９は胴体２１の取付柱３１に取り付け、その上面を胴体２１に取り付けたカバー２５によって被覆する。
【００２９】
このスライドファスナー用上止の使用態様を説明すると、スライダー２０を上止１側へ摺動させて左右の噛合エレメント１２を閉鎖させ、最後に上止１に引き寄せて案内柱２４を上止１の収容部１０に収容してスライダー２０による閉鎖操作は終了する。この際スライダー２０に内装された自動停止機構２６の停止爪２７が上止１に設置したガイド溝３０に突出し、凹部７に進出して停止する。また一方の噛合エレメント１２は上止１に設けた重合部３に対し、噛合頭部１３の噛合面１７を表裏両面から当接しスライダー２０を保持する。スライダー２０の保持状態は、従来品のように上止１が八の字状に開きファスナーテープ２に皺がよるものと異なり、ファスナーテープ２はスライダー２０による皺を発生することなく、上止１を整然と閉鎖させることができる。また八の字状にならないようにするため、図３に示すように、スライダー２０を閉鎖方向に摺動したときは、噛合エレメント１２は全て噛み合った状態となり、このとき重合部３を形成する上止１と噛合エレメント１２との間に、相手方の噛合エレメント１２が入り込んでいるが、上止１との衝突を避けるために、その間隔を広くすると、ぐらつく原因となる。ただし狭くすると、噛合エレメント１２と衝突することから、他の上止１よりも薄い重合部３を設け、間隔を狭くし、かつ衝突しないように形成する。
【産業上の利用可能性】
【００３０】
この発明のスライドファスナー用上止は、衣服、バッグ、袋物などの開口部に用いるものであり、スライダーによってファスナーチエンを閉鎖したとき、ファスナーチエンの端部において完全に分離するタイプであるが、上止はスライダーのフランジによって案内柱を包囲し、ファスナーテープに皺を発生しないので、利用価値がある。
【図面の簡単な説明】
【００３１】
【図１】この発明の実施例１に基づくスライドファスナー用上止の斜視図である。
【図２】同上上止における閉鎖寸前の状態を示す正面図である。
【図３】同上上止における完全な閉鎖状態を示す正面図である。
【図４】同上上止における図３のＡ−Ａ断面図である。
【図５】同上上止におけるスライダーの縦断面図である。
【図６】公知のスライドファスナー用上止の正面図である。
【符号の説明】
【００３２】
１        上止
２        ファスナーテープ
３        重合部
４        縁部
５        切欠部
６        凹形部
７        凹部
１１      被覆層
１２      噛合エレメント
１３      噛合頭部
１４      首部
１６      係合突部
１７      噛合面
２０      スライダー
２４      案内柱
２６      自動停止機構
２７      停止爪
【図１】
0004238229.tif 000002
【図２】
0004238229.tif 000003
【図３】
0004238229.tif 000004
【図４】
0004238229.tif 000005
【図５】
0004238229.tif 000006
【図６】
0004238229.tif 000007